(57)【要約】【課題】機械装置の周囲を囲うガード装置に設置する電気設備に通電する電源ケーブル又はインターロック配線ケーブルを収容できる産業機械用ガード装置を提供すること。【解決手段】機械装置の周囲に角型支柱１とフェンス構造３によりガード装置を形成する。角型支柱１及びフェンス構造３のガードフレーム４を中空構造とする。ガード装置に設置する電気設備に通電する電源ケーブル又はインターロック配線ケーブル１２が、角型支柱１及びガードフレーム４内に収容することができるので、ガード装置に余分なケーブルを配線しないで済み危険要素が減る。【選択図】　　　図１
2004058173.tif 000002
【特許請求の範囲】
【請求項１】
機械装置の周囲に支柱（１）とフェンス構造（３）によりガード装置を形成し、上記支柱及び上記フェンス構造のガードフレーム（４）を中空構造とし、上記ガード装置に設置する電気設備に通電する電源ケーブル又はインターロック配線ケーブルを上記支柱及びガードフレーム内に収容したことを特徴とする産業機械用ガード装置。
【請求項２】
支柱（１）が角型支柱であることを特徴とする請求項１に記載の産業機械用ガード装置。
【請求項３】
支柱（１）が下端及び上端に電源ケーブル又はインターロック配線ケーブルを通すための配線用通孔（６，７）を形成したことを特徴とする請求項１又は２に記載の産業機械用ガード装置。
【請求項４】
支柱（１）が底部に台座（２）を設けたことを特徴とする請求項１から３のいずれかに記載の産業機械用ガード装置。
【発明の詳細な説明】
【０００１】
【発明の属する技術分野】
本発明は、機械装置の周囲を囲う産業機械用ガード装置に関し、さらに詳しくは配線設備を備えた産業機械用ガード装置に関するものである。
【０００２】
【従来の技術】
近年、産業機械の安全性を確保するために、作業者又は物が機械装置の危険域へ入れないように当該機械装置の周囲に独立式のガード装置（フェンス）を設置する処置がとられている。従来の一般的なガード装置は、機械装置への材料投入及び取出し口や内部に作業者が入るための出入り口が設けられており、通常は材料投入及び取出し口には光線式安全装置が設置され、又、出入り口はリミットスイッチ等によりインターロックされている。ここで、光線式安全装置やリミットスイッチ等の各センサーへの配線は、ガード装置の設置後に、所謂後付けにより電源ケーブル又はインターロック配線ケーブルを保護チューブに通して当該ガード装置の周辺に固定している。
【０００３】
従来技術においては、電源ケーブル又はインターロック配線ケーブルを通す保護チューブがガード装置に固定されているだけなので、例えば、電源ケーブル又はインターロック配線ケーブルを増設する時は、既設の保護チューブに隣接して新規の保護チューブを固定しているので、ケーブルを増設する度に保護チューブの数が増えてしまうという問題がある。このため従来のガード装置は、装置としての体裁が悪いだけでなく、保護チューブやこれを固定する金具などで作業者が怪我をする原因にもなっていた。
【０００４】
【発明が解決しようとする課題】
本発明は、上記した従来技術の問題点を解決したものであって、機械装置の周囲を囲うガード装置に設置する電気設備に通電する電源ケーブル又はインターロック配線ケーブルを収容できる産業機械用ガード装置を提供することである。
【０００５】
【課題を解決するための手段】
解決手段の第１は、機械装置の周囲に支柱とフェンス構造によりガード装置を形成し、上記支柱及び上記フェンス構造のガードフレームを中空構造とし、上記ガード装置に設置する電気設備に通電する電源ケーブル又はインターロック配線ケーブルを上記支柱及びガードフレーム内に収容したことを特徴とする。
解決手段の第２は、解決手段の第１において、支柱が角型支柱であることを特徴とする。
解決手段の第３は、解決手段の第１又は第２において、支柱が下端及び上端に電源コードを通すための配線用通孔を形成したことを特徴とする。
解決手段の第４は、解決手段の第１から第３のいずれかにおいて、支柱が底部に台座を設けたことを特徴とする。
【０００６】
【発明の実施の形態】
図において、ガード装置は、中空状に形成された角型支柱１と該角型支柱１に設けたフェンス構造３により構成されたものである。角型支柱１は底部に台座２を有しており、適宜の間隔により産業機械の周囲に立設するものである。又、フェンス構造は、２本の角型支柱１の間に設けられており、額縁状に形成した角パイプ製のガードフレーム４と該ガードフレーム４の内側に設けた網目部材５により構成されたものである。なお、本発明のガード装置は、例えば図３に示すように、工作機械１０の前方両側に角型支柱１を設けると共に該工作機械１０の進入路に沿って他の角型支柱１を設け、工作機械と進入路入り口との間にフェンス構造３を設置し、進入路入り口に設けた角型支柱１の頂部に当該進入路を遮る方向に光線を発する光線式安全装置１１を設置したものである。
【０００７】
本発明のガード装置において、一例として説明した光線式安全装置１１に電源を供給するために、角型支柱１の内部に電源ケーブル又はインターロック配線ケーブル１２を通している。電源はどこから引いてもよいが、仮に、工作機械１０に配線されている電源から通電するのであれば、電源ケーブル又はインターロック配線ケーブル１２は、工作機械１０の前方に設けた角型支柱１からガードフレーム４内を通して光線式安全装置１１に接続する。
【０００８】
角型支柱１には、下端及び上端に電源ケーブル又はインターロック配線ケーブル１２を通すための配線用通孔６，７を形成する。電源ケーブル又はインターロック配線ケーブル１２は、角型支柱１の下端の配線用通孔６から支柱内に挿入して上端の配線用通孔７から取り出し、さらに、ガードフレーム４内を通して光線式安全装置１１に接続する。配線用通孔６，７は、角型支柱１の各面に設けられているので、ケーブルを出し入れしない通孔にはゴム又は軟質プラスチック製の栓体８を嵌めておく。なお、配線用通孔６，７は角型支柱１の各面に設けてもよく、又は正・背面とガードフレーム４を接続する面の３面に設けてもよい。
【０００９】
この他、実施例において、角型支柱１の下端に設けた配線用通孔６は、２個設けており、ケーブル１２を最下端の配線用通孔６から当該角型支柱１内に挿入している。ただし、他の配線用通孔６の位置を、例えばガードフレーム４と一致させた時は、ケーブル１２をフェンス構造３の下方のガードフレーム４内を通すことができるものとなる。なお、配線用通孔６を１個にするか又は２個にするかは任意である。
【００１０】
実施例において、角型支柱１の断面形状を５０〜７５ｍｍ角とすれば、支柱内には複数本の電源ケーブル又はインターロック配線ケーブル１２が収容できる。従って、電気設備が複数種であっても、各電気設備に接続するケーブルを当該角型支柱１に収容することができることになる。なお、角型支柱１の高さは任意であるが、下端に設ける台座２は１５０ｍｍ角程度とする。
【００１１】
【発明の効果】
本発明は、機械装置の周囲を囲うガート装置が角型支柱とフェンス構造を組み合わせたものであり、角型支柱とフェンス構造のガードフレームを中空とすることにより、角型支柱とフェンス構造のいずれか又は双方に電気設備を設置する時に、電源ケーブル又はインターロック配線ケーブルを当該角型支柱とガードフレーム内に収容できるので、配線が体裁よくできるだけでなく、電気設備が後付けの場合であってもケーブルを既設の角型支柱に収容でき、ガード装置に余分なケーブルを配線しないで済むので危険要素が少なくなり、これにより作業者の安全性も確保されるという利点がある。
【図面の簡単な説明】
【図１】ガード装置を示す全体の斜視図。
【図２】角型支柱の横断面図。
【図３】ガード装置の使用例を示す平面図。
【符号の説明】
１　角型支柱
２　台座
３　フェンス構造
４　ガードフレーム
５　網目部材
６　配線用通孔
７　配線用通孔
８　栓体
１０　工作機械
１１　光線式安全装置
１２　電源ケーブル（インターロック配線ケーブル）
【図１】
2004058173.tif 000003
【図２】
2004058173.tif 000004
【図３】
2004058173.tif 000005